(57)【要約】【課題】本発明は、ヒバ材から抽出した精油の揮発性成分で住宅に棲息するダニ類を防除するダニ類防除装置を提供することを目的とする。【解決手段】本発明のダニ類防除装置１は、筺体２と、該筺体２内下部に収納され、ヒバ材精油を浸透させたヒバ材のオガ屑３を吸油マット４で包囲した芳香部材５と、前記筺体２の下流側には前記吸油マット４下部に形成した隙間９からヒバ油の粒子混合空気が押し出される芳香空気タンク１０を形成し、該芳香空気タンク１０の上部に屋外配管パイプ１１を接続できる排気出口１２を設け、前記屋外配管パイプ１１の分岐部にはヒバ木材をくりぬいて浸透空間を形成した木材ジョイント１３を設け、該木材ジョイント１３に屋内に配管される屋内配管パイプ１５をそれぞれ接続したものである。【選択図】  図１
2005013036.tif 000002
【特許請求の範囲】
【請求項１】
ヒバ材精油の揮発性成分を吸収しない材料から形成された矩形の筺体と、該筺体内を上下二分するように横断状に下部に収納され、ヒバ材精油を浸透させたヒバ材のオガ屑を吸油マットで包囲した芳香部材と、二分された上部に形成した空気室にはエアポンプの吐出口に接続される吸気入口を設け、前記筺体の下流側には前記吸油マット下部に形成した隙間からヒバ油の粒子混合空気が押し出される芳香空気タンクを形成し、該芳香空気タンクの上部に屋外配管パイプを接続できる排気出口を設け、前記屋外配管パイプの分岐部にはヒバ木材をくりぬいて浸透空間を形成した木材ジョイントを設け、該木材ジョイントに屋内に配管される屋内配管パイプをそれぞれ接続したことを特徴とするダニ類防除装置。
【請求項２】
前記エアポンプの動作を制御するタイマーを設置したことを特徴とする請求項１記載のダニ類防除装置。
【発明の詳細な説明】
【０００１】
【発明の属する技術分野】
本発明は、住宅に棲息するダニ類をヒバ材から抽出した精油の揮発性成分で防除するダニ類防除装置に関する。
【０００２】
【従来の技術】
従来、住宅に棲息するダニ類の駆除には、窓を締め切って一時的に発煙剤により行っていた。
この発煙剤の使用は、発煙中は勿論、使用後であっても一定時間部屋内に入ることは出来ないものであったし、その臭いも刺激臭であって不快感を感じることもあった。
そのため、長期的に日常生活が普通にでき、しかも刺激臭がなく、簡単にダニ類の駆除が出来る防除装置が望まれていた。
そこで、本出願人は、簡単にダニ類の駆除が出来るダニ防除装置として実用新案登録第３０８１４４８号を考案した。
ところが、前記ダニ防除装置は、直接空気が下のタンクより排出されるため、ヒバ油が粒子で流れるので油となって配管パイプに付着する不都合があった。
【０００３】
【発明が解決しようとする課題】
そこで、本発明は、前記実用新案登録第３０８１４４８号を改良し、ヒバ材から抽出した精油の揮発性成分で住宅に棲息するダニ類を防除するダニ類防除装置を提供することを目的とする。
【０００４】
【課題を解決するための手段】
そのために、本発明のダニ類防除装置は、ヒバ材精油の揮発性成分を吸収しない材料から形成された矩形の筺体と、該筺体内を上下二分するように横断状に下部に収納され、ヒバ材精油を浸透させたヒバ材のオガ屑を吸油マットで包囲した芳香部材と、二分された上部に形成した空気室にはエアポンプの吐出口に接続される吸気入口を設け、前記筺体の下流側には前記吸油マット下部に形成した隙間からヒバ油の粒子混合空気が押し出される芳香空気タンクを形成し、該芳香空気タンクの上部に屋外配管パイプを接続できる排気出口を設け、前記屋外配管パイプの分岐部にはヒバ木材をくりぬいて浸透空間を形成した木材ジョイントを設け、該木材ジョイントに屋内に配管される屋内配管パイプをそれぞれ接続したものである。
また、前記エアポンプの動作を制御するタイマーを設置したものである。
【０００５】
【実施例】
以下、本発明の一実施例を図１に基づいて説明する。
本発明のダニ類防除装置１は、ガラス、セラミック、プラスチック、金属等のヒバ材精油の揮発性成分を吸収しない材料から形成された矩形の筺体２と、該筺体２内を上下二分するように横断状に下部に収納され、ヒバ材精油を浸透させたヒバ材のオガ屑３を吸油マット４で包囲した芳香部材５と、二分された上部に空間を形成した空気室６と、該空気室６にはエアポンプ７に接続される吸気入口８７を設ける。
二分された前記筺体２の側方には、前記吸油マット４下部に形成した隙間９からヒバ油の粒子混合空気が押し出される芳香空気タンク１０を形成し、該芳香空気タンク１０の上部に屋外配管パイプ１１を接続できる排気出口１２を設ける。
前記屋外配管パイプ１１の分岐部には、図２に示すように、ヒバ木材をくりぬいて浸透空間１４を形成した木材ジョイント１３を設け、該木材ジョイント１３に屋内に配管される屋内配管パイプ１５をそれぞれ接続する。
さらに、前記筺体２の上面に設置したエアポンプ７の動作を制御するタイマー１６を屋内に設置し、該タイマー１６を介して電源コード１７、電源プラグ１８を接続する。
また、前記筺体２の上面には、前記芳香部材５にヒバ材精油を補給するための給油入口１９を形成する。
【０００６】
なお、前記芳香部材５は、ヒバ材のオガ屑３（粉状）を両側から吸油マット４で包んで形成したものであるが、オガ屑３に代えてヒバ材のチップ（小片）とすることも可能である。
また、前記タイマー１６は、連続運転や断続運転等を適宜設定でき、例えば一定の作動時間間隔でＯＮ／ＯＦＦし、５分間ＯＮし５５分間ＯＦＦすることもできる。
したがって、１時間置きに５分間だけタイマー１６がＯＮしてエアポンプ７を作動させることができる。
【０００７】
つぎに、本発明のダニ類防除装置１の使用仕方について、図１に基づいて説明する。
あらかじめ、住宅２０の各部屋２１の側壁に形成した噴出口２２に屋内配管パイプ１５を接続し、筺体２の排気出口１２に屋外配管パイプ１１を接続し、電源プラグ１２をコンセント（図示せず）に差し込み、本発明のダニ類防除装置１を作動可能に設置する。
なお、本発明のダニ類防除装置１を屋外に設置しているが、屋内に設置しても良いし、また既存の住宅２０の場合には、側壁に噴出口２２を形成することが出来ないので、ダニ類防除装置１を固定しないで可搬可能とし、直接部屋２１内に置き、排気出口１２から直接部屋２１に排気することもできる。
【０００８】
次いで、タイマー１６を５分間にセットして、エアポンプ７の作動時間を設定すると、定時になるとタイマー１６がＯＮしてエアポンプ７が作動して、空気が吸い込まれて吸気入口８から空気室６を経て芳香部材５へ空気が給送される。
前記芳香部材５は、通気性を有する吸油マット４、オガ屑３から構成されているので、給送された空気は、芳香部材５を通過する時に吸油マット４、オガ屑３からヒバ材精油の揮発性成分を蒸発させて混合空気となって吸油マット４の隙間９から芳香空気タンク１０へ送られる。
【０００９】
芳香空気タンク１０からの混合空気は、排気出口９、屋外配管パイプ１１を通って各木材ジョイント１３に達し、該木材ジョイント１３の浸透空間１４でヒバ油の粒子を木材に浸透させ、芳香空気のみを送風させる。
前記木材ジョイント１３からの芳香空気は、屋内配管パイプ１５を通って各部屋２１の噴出口２２から噴出し、各部屋２１をヒバ材の揮発性成分で充満させる。
そして、５分間が終了すると、タイマー１６がＯＦＦしてエアポンプ７が停止するので、混合空気の給送も終了する。
ヒバ材の揮発性成分（ヒノキオール）は、芳香効果があり且つ防虫効果、抗菌効果があることも知られており、この揮発性成分によって各部屋２１内に棲息するダニ類を防除することが出来、且つこの混合空気の給送は、例えば５分間だけ行われるので、住人にとっては木の香りがするだけで不快感を感じることもない。
このようにして、定時になると、５分間だけエアポンプ７が作動してヒバ材精油の揮発性成分が各部屋２１に給送される。
【００１０】
【効果】
本発明のダニ類防除装置は、ヒバ材精油の揮発性成分（ヒノキオール）によって各部屋内に棲息するダニ類を防除することが出来、且つこの揮発性成分は、例えば５分間だけ行われるので、住人にとっては木の香りがするので心地よい。
【図面の簡単な説明】
【図１】本発明のダニ類防除装置の説明図である。
【図２】本発明の木材ジョイントの説明図である。
【符号の説明】
１  ダニ類防除装置
２  筺体
３  オガ屑
４  吸油マット
５  芳香部材
６  空気室
７  エアポンプ
８  吸気入口
９  隙間
１０  芳香空気タンク
１１  屋外配管パイプ
１２  排気出口
１３  木材ジョイント
１４  浸透空間
１５  屋内配管パイプ
１６  タイマー
１７  電気コード
１８  コンセント
１９  給油入口
２０  住宅
２１  部屋
２２  噴出口
【図１】
2005013036.tif 000003
【図２】
2005013036.tif 000004